(57)【要約】【課題】容易にショーケースに関するデータを送信可能とするショーケースを提供する。【解決手段】本発明のショーケース１は、陳列室１１内に商品を陳列してなるものであって、陳列室１１内を照明する各ＬＥＤ素子４３を有するＬＥＤ照明装置４０と、このＬＥＤ照明装置４０を制御する制御装置２４とを備え、この制御装置２４は、ＬＥＤ照明装置４０のＬＥＤ素子４３を点灯／消灯することにより、光通信用のデータ、例えば、ショーケース１の運転状態に関するデータや、陳列室１１内に陳列されている商品に関するデータを送信する。【選択図】図５
2010075243.tif 000002
【特許請求の範囲】
【請求項１】
陳列室内に商品を陳列してなるショーケースにおいて、
前記陳列室内を照明するＬＥＤ素子を有するＬＥＤ照明装置と、
該ＬＥＤ照明装置を制御する制御装置とを備え、
該制御装置は、前記ＬＥＤ照明装置の前記ＬＥＤ素子を点灯／消灯することにより、光通信用のデータを送信することを特徴とするショーケース。
【請求項２】
複数の前記ＬＥＤ照明装置を備え、前記制御装置は、前記複数のＬＥＤ照明装置のうちの特定のＬＥＤ照明装置を用いてデータの送信を行うことを特徴とする請求項１に記載のショーケース。
【請求項３】
複数の前記ＬＥＤ照明装置を備え、前記制御装置は、前記ＬＥＤ照明装置により照明される位置の商品に関するデータを、当該ＬＥＤ照明装置を用いて送信することを特徴とする請求項１に記載のショーケース。
【請求項４】
前記ＬＥＤ照明装置から光通信により送信されたデータを受信し、出力する受信装置を備えたことを特徴とする請求項１乃至請求項３の何れかに記載のショーケース。
【発明の詳細な説明】
【技術分野】
【０００１】
本発明は、コンビニエンスストアやスーパーマーケット等の店舗に設置されるショーケースに関するもの、特に、当該ショーケースの運転制御に関するデータや陳列商品に関するデータ等の通信システムに関するものである。
【背景技術】
【０００２】
従来、コンビニエンスストアやスーパーマーケット等の店舗に設置されるショーケースは、温度調節器や除霜用のタイマから構成される制御装置によって個別に制御、若しくは、店舗に設置される集中管理装置に配線接続されることによって、これらデータの送受信が行われ、集中管理制御が行われていた（例えば特許文献１参照）。
【特許文献１】特開平１１−１９３９８５号公報
【発明の開示】
【発明が解決しようとする課題】
【０００３】
従来のショーケースでは、温度設定に関する情報や現在の庫内温度情報に関するデータ、更には、除霜制御に関するデータ、その他警報に関するデータ等は、ショーケースに設けられる制御装置のコントロールパネルの表示部等から出力、若しくは、当該制御装置と通信線により接続される集中管理側の制御装置において出力されていた。そのため、ショーケースのサービスマンは、ショーケースのコントロールパネルの操作、若しくは、集中管理側の制御装置に接続される入出力手段を操作することによって、これらショーケースに関するデータを把握していた。
【０００４】
かかる場合には、ショーケースの設置場所においてコントロールパネルを操作して当該ショーケースに関するデータを把握する必要があるため、煩雑な作業が伴うという問題があった。他方、集中管理側の制御装置において、これらデータを把握するためには、集中管理側の制御装置と、ショーケースの制御装置とを通信線にて配線接続をしなければならない。一般に、ショーケースと集中管理側の制御装置とは離れた場所に設置されているため、係る通信線による配線接続は、設置作業効率の面のみならず、コストの面においても問題があった。
【０００５】
また、陳列室内に架設される棚の前端部などには、当該棚に陳列される商品に関する情報を出力するための液晶パネルなどの出力手段が設けられている場合がある。この場合には、当該液晶パネルとショーケースの機械室などに配設されている制御装置とを配線接続する必要がある。そのため、ショーケース内部における配線や陳列室前面に設けられる液晶パネルへの通信線の配線が煩雑となる問題がある。
【０００６】
本発明は、従来の技術的課題を解決するためになされたものであり、容易にショーケースに関するデータを送信可能とするショーケースを提供する。
【課題を解決するための手段】
【０００７】
本発明のショーケースは、陳列室内に商品を陳列してなるものであって、陳列室内を照明するＬＥＤ素子を有するＬＥＤ照明装置と、該ＬＥＤ照明装置を制御する制御装置とを備え、該制御装置は、ＬＥＤ照明装置のＬＥＤ素子を点灯／消灯することにより、光通信用のデータを送信することを特徴とする。
【０００８】
請求項２の発明のショーケースは、上記発明において、複数のＬＥＤ照明装置を備え、制御装置は、複数のＬＥＤ照明装置のうちの特定のＬＥＤ照明装置を用いてデータの送信を行うことを特徴とする。
【０００９】
請求項３の発明のショーケースは、上記請求項１の発明において、複数のＬＥＤ照明装置を備え、制御装置は、ＬＥＤ照明装置により照明される位置の商品に関するデータを、当該ＬＥＤ照明装置を用いて送信することを特徴とする。
【００１０】
請求項４の発明のショーケースは、上記各発明において、ＬＥＤ照明装置から光通信により送信されたデータを受信し、出力する受信装置を備えたことを特徴とする。
【発明の効果】
【００１１】
本発明によれば、陳列室内に商品を陳列してなるショーケースにおいて、陳列室内を照明するＬＥＤ素子を有するＬＥＤ照明装置と、該ＬＥＤ照明装置を制御する制御装置とを備え、該制御装置は、ＬＥＤ照明装置のＬＥＤ素子を点灯／消灯することにより、光通信用のデータを送信するので、陳列室内を照明する指向性の高いＬＥＤ素子から照射される可視光を用いて、光通信を行うことが可能となる。
【００１２】
そのため、請求項４の発明の如く、ＬＥＤ照明装置から光通信により送信されたデータを受信し出力する受信装置によって、当該ショーケースの庫内温度や警報、運転制御に関する各種データを把握することが可能となる。
【００１３】
これにより、格別に受信装置と、当該ショーケースに設けられる制御装置とを配線によって接続する必要が無くなる。従って、配線を行うことによる煩雑な作業や、美観の低下等の不都合を解消することができる。
【００１４】
請求項２の発明によれば、上記発明において、複数のＬＥＤ照明装置を備え、制御装置は、複数のＬＥＤ照明装置のうちの特定のＬＥＤ照明装置を用いてデータの送信を行うことにより、データの送信・受信時に生じる混信を抑制することが可能となる。
【００１５】
請求項３の発明によれば、上記請求項１の発明において、複数のＬＥＤ照明装置を備え、制御装置は、ＬＥＤ照明装置により照明される位置の商品に関するデータを、当該ＬＥＤ照明装置を用いて送信することにより、例えば棚毎に異なる商品のデータを送信することが可能となる。
【００１６】
また、請求項４の発明によれば、当該ＬＥＤ照明装置から光通信により送信されたデータを受信し、出力する受信装置を備えることで、例えばサービスマンの携帯端末やショーケースに取り付けられる表示端末、若しくは、当該ショーケースが設置される店舗等において用いられるカートに取り付けられる端末などの受信装置により、ショーケースの運転状態に関するデータや、陳列商品に関するデータ、商品販売に関するデータなどを受信することが可能となり、総じて利便性の向上を図ることができる。
【発明を実施するための最良の形態】
【００１７】
次に、図面を参照して本発明の実施形態について詳述する。図１は本発明を適用したオープンショーケース１の斜視図、図２は図１のオープンショーケース１の縦断側面図をそれぞれ示している。オープンショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１８】
オープンショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板４を構成する背部仕切板１０の下端前方には、底板９が断熱壁２の底壁２Ａとの間にダクト用の間隔を存して取り付けられており、これら仕切板４及び底板９の内側を陳列室１１としている。
【００１９】
また、この陳列室１１内には、高さ及び取付角度が変更可能であると共に、陳列室１１内背部の図示しない支柱に取り付けられる一対のブラケット３１及びこれらと共に棚３０を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。
【００２０】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００２１】
一方、底板９下方後部には断熱壁２の底壁２Ａ上に前記内層ダクト及び外層ダクトのそれぞれに対応する図示しない送風機が複数台設置されている。
【００２２】
背部仕切板１０後方の内層ダクト内には冷却装置の冷却器３９が縦設されており、前記内層ダクトに対応した送風機が運転されると冷却器３９と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２３】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２４】
一方、断熱壁２の下側前壁２Ｃの上面には、ショーケース１の開口１２下縁の全幅に渡って設けられるハンドレール２０が取り付けられる。この前壁２Ｃの前面には、ハンドレール２０と連続するように前面下パネル２１が取り付けられ、該前面下パネル２１の下方には前面下パネル２１と略面一となるようにバンパー２２が取り付けられる。
【００２５】
次に、上記図２及び図３を参照して、断熱壁２の天壁２Ｂ前部の構成について説明する。図３は各ＬＥＤ照明装置４０の取付状態を示す図である。
【００２６】
断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。尚、キャノピー３３の前面には図１に示されるように温度表示部３８が設けられている。
【００２７】
この反射板４５は、化粧塗装が施された金属板にて構成されており、前部には、長手方向に渡って、上前方から陳列室１１の前面開口１２を臨む角度、即ち、後斜め下方の陳列室１１方向に面して複数のＬＥＤ照明装置４０が左右に渡って並設されている。
【００２８】
このＬＥＤ照明装置４０は、複数のＬＥＤ素子４３が配設された基板４２により構成されており、当該基板４２は熱良導性の取付板４４に固定されている。基板４２は長手方向に延在して構成されており、当該基板４２には、所定間隔を存して複数のＬＥＤ素子４３が取り付けられている。本実施例において、ＬＥＤ素子４３は、チップタイプの白色のＬＥＤ素子である。
【００２９】
本実施例において、当該ＬＥＤ照明装置４０は、約１尺程度の長さに構成されている。本実施例におけるオープンショーケースは、前面開口（間口）寸法が４尺〜１２尺程度であるため、キャノピー３３の内側に設けられる反射板４５には、当該前面開口寸法に合わせて当該ＬＥＤ照明装置４０が４個〜１２個（複数個）左右渡って並設される。
【００３０】
また、各ＬＥＤ照明装置４０の取付板４４は、反射板４５にネジ止めにて固定するためのねじ穴が形成されている。各ＬＥＤ照明装置４０が取り付けられる反射板４５には、長手方向に渡って複数の図示しない排気孔が穿設されている。係るＬＥＤ照明装置４０、排気孔は、下側から囲繞するかたちで取り付けられるシェード４６によってカバーされる。
【００３１】
係る構成により、各ＬＥＤ照明装置４０が点灯されると、各シェード４６において拡散された後のそれぞれのＬＥＤ素子４３の照射光により、陳列室１１の外側に位置する上前方から効果的に陳列室１１内全体を照明することが可能となる。
【００３２】
そして、図２に示すように上述した如き陳列室１１内に複数段架設される棚３０の各棚板３２の前端部下面には、当該棚板３２の下方に陳列される商品を照明するための棚下ＬＥＤ照明装置４８が設けられている。当該棚板３２に設けられる棚下ＬＥＤ照明装置４８は、反射板４５に設けられるＬＥＤ照明装置４０と同様に、棚板３２の左右に渡って複数並設されている。尚、当該棚下ＬＥＤ照明装置４８は、ＬＥＤ照明装置４０と略同様の構成であるため、詳細な説明は省略する。
【００３３】
次に、図４の制御装置２４の電気ブロック図を参照して、本実施例におけるショーケースの制御装置２４について説明する。制御装置２４は、時限手段としてのタイマ５１や記憶手段としてのメモリ５２を有する汎用のマイクロコンピュータによって構成されており、入力側には、陳列室１１内の温度を検出するための庫内温度センサ２５と、コントロールパネル２６、外部入力手段２９等が接続されている。そのため、外部入力手段２９を介して入力されたデータ、例えば陳列室１１の各棚３０に陳列される商品に関するデータは、内蔵されるメモリ５２にて記憶される。また、当該コントロールパネル２６には、少なくとも上記各ＬＥＤ照明装置４０、及び各棚下ＬＥＤ照明装置４８を制御するための各種照明スイッチ２７と、ショーケース１の各種運転条件に関する設定入力を行う各種入力手段２８等が設けられている。
【００３４】
そして、制御装置２４の出力側には、上述した如き冷却器３９と所謂冷凍サイクルを構成する圧縮機や送風機などから構成される冷却装置Ｒが接続されていると共に、各ＬＥＤ照明装置４０及び各棚下ＬＥＤ照明装置４８がそれぞれＬＥＤコントロール部５０及び５８を介して接続されている。尚、当該ＬＥＤコントロール部５０、５８はそれぞれ、各ＬＥＤ素子４３に給電を行うＬＥＤ用電源と、各ＬＥＤ素子４３の調光を行う調光コントロール部により構成されている。
【００３５】
一方、図５は本実施例における通信制御を示す図である。図５において、５５は携帯可能に構成される受信装置である。当該受信装置５５は、光通信用のデータを受信する受信部５６と、当該受信したデータを出力するための、本実施例では、出力表示するための液晶表示部５７を備えている。
【００３６】
以上の構成により、本実施例におけるオープンショーケース１の通信制御について図５を参照して説明する。まずはじめに、コントロールパネル２６の照明スイッチ２７を操作し、制御装置２４は、各ＬＥＤコントロール部５０、５８により、ＬＥＤ照明装置ＬＥＤ照明装置４０、４８を点灯させる。
【００３７】
このとき、各ＬＥＤ照明装置４０の各ＬＥＤ素子４３は、可視光通信手段としての機能を有する。即ち、制御装置２４は、キャノピー３３の内側に取り付けられた各ＬＥＤ照明装置４０の各ＬＥＤ素子４３への通電を制御するＬＥＤコントロール部５０により、ＯＮ／ＯＦＦ制御する。当該可視光通信手段としてのＬＥＤ素子４３をＯＮ／ＯＦＦ制御することにより、点灯／消灯させ、光通信用のデータとして、本実施例では、当該ショーケース１の運転状態に関するデータ、例えば、庫内温度センサ２５により検出される庫内温度や、ショーケース１内に設けられる各種機器の警報に関するデータなど、運転制御に関する各種データを送信する。なお、庫内温度センサ２５により検出される庫内温度は、時間の経過と共に、制御装置２４のメモリ５２に保有しておき、所定時間における庫内温度変化データとして送信しても良い。
【００３８】
光通信用のデータの送信範囲は、当該ＬＥＤ照明装置４０の各ＬＥＤ素子４３の照射範囲に限定される。
【００３９】
一方、ショーケース１のサービスマンや店員等は、受信装置５５を当該ＬＥＤ照明装置４０の各ＬＥＤ素子４３の照射範囲である陳列室１１内に位置させる。これにより、受信装置５５は、受信部５６によってＬＥＤ照明装置４０の各ＬＥＤ素子４３から照射される照射光を介して光通信用のデータ、本実施例では、上述したようなショーケース１の運転状態に関するデータを受信する。そして、受信したショーケース１の運転状態に関するデータを受信装置５５の液晶表示部５７に表示（出力）する。
【００４０】
これにより、陳列室１１内を照明する指向性の高いＬＥＤ素子４３から照射される可視光を用いて、ショーケース１の運転状態に関するデータの光通信を行うことが可能となる。また、ＬＥＤ照明装置４０から光通信により送信された各種データを受信装置５５により受信し液晶表示部５７にて表示することにより、容易に当該ショーケース１の庫内温度（庫内温度の変化状態）や警報など運転制御に関する各種データを把握することが可能となる。
【００４１】
これにより、格別に受信装置５５と、当該ショーケース１に設けられる制御装置２４とを配線によって接続する必要が無くなる。従って、配線を行うことによる煩雑な作業や、美観の低下等の不都合を解消することができる。
【００４２】
尚、本実施例では、サービスマン等が携帯して使用する受信装置５５は、例えば、携帯端末などによって構成してもよい。
【００４３】
また、この場合において、陳列室１１内にＬＥＤ照明装置４０の各ＬＥＤ素子４３から照射されたショーケース１の運転状態に関するデータを含んだ光をショーケース１外に反させる反射板を備え、当該反射板により反射された光を受光する手段（受信装置）を店舗内の何れかの場所に設けてもよい。これにより、ショーケース１外の場所であって、店舗内の何れかの場所においても当該ショーケース１の運転状態に関するデータを受信することが可能となる。そのため、当該受信装置を通信線などによって店舗の集中管理装置に接続することで、当該集中管理装置においても、ショーケースの運転状態に関するデータを管理することが可能となる。
【００４４】
また、上記実施例では、キャノピー３３の内側に設けられているＬＥＤ照明装置４０の各ＬＥＤ素子４３の点灯／消灯を制御することで、当該ショーケース１の運転状態に関するデータを送信しているが、これに限定されるものではない。例えば、当該実施例におけるショーケース１が複数台並設されている場合などにおいて、複数並設される上述したような１尺程度の長さのＬＥＤ照明装置４０のうちの特定のＬＥＤ照明装置４０のみ（図６の実施例では、正面から向かって右から３番目のＬＥＤ照明装置４０のみ）をデータの送信を行う照明装置として用いても良い。
【００４５】
これにより、ショーケース１が隣接して複数台設けられている場合であっても、特定のＬＥＤ照明装置４０のみがデータ送信を行うことで、通信範囲を限定することができる。そのため、それぞれのデータ送信を行うＬＥＤ照明装置４０からの照射光が交差することにより、データの送信・受信時に生じる混信を抑制することが可能となる。従って、確実なデータ送信が可能となり、混信による不都合を解消することができる。
【００４６】
また、各棚３０に設けられる複数の棚ＬＥＤ照明装置４８の各ＬＥＤ素子４３も上記ＬＥＤ照明装置４０のＬＥＤ素子４３と同様に可視光通信手段としての機能を有する。ここで、図７を参照して、棚ＬＥＤ照明装置４８による通信制御について説明する。
【００４７】
制御装置２４は、各棚３０の前端下面に取り付けられた各棚ＬＥＤ照明装置４８の各ＬＥＤ素子４３への通電を制御するＬＥＤコントロール部５８により、ＯＮ／ＯＦＦ制御する。このとき、制御装置２４は、それぞれの棚上の陳列領域と、当該陳列領域の情報に対応して設けられる棚ＬＥＤ照明装置４８とを対応させて上述したような外部入力手段２９より、各棚３０の陳列領域に陳列される商品についての情報が入力され、メモリ５２に保有されている。
【００４８】
そのため、制御装置２４は、それぞれの棚ＬＥＤ照明装置４８の可視光通信手段としてのＬＥＤ素子４３をＯＮ／ＯＦＦ制御することにより、点灯／消灯させ、当該照明範囲に位置する陳列領域に陳列される商品についての情報（データ）を光通信用のデータとして送信する。
【００４９】
これにより、それぞれの棚ＬＥＤ照明装置４８の各ＬＥＤ素子４３から照射される光は、当該照射範囲に位置する棚上の陳列領域に陳列される商品についてのデータが含まれている。
【００５０】
一方、当該照射範囲とされる棚３０の前端部には、それぞれ上述したような受信装置５５が取り付けられている。そのため、当該棚上の陳列領域に陳列される商品を照明する上側の棚３０に設けられた棚ＬＥＤ照明装置４８（ＬＥＤ素子４３）からの照射光が、当該陳列領域とされる棚の前端部に取り付けられた受信装置５５に照射されることにより、受信装置５５は、受信部５６によってＬＥＤ照明装置４８の各ＬＥＤ素子４３から照射される照射光を介して光通信用のデータ、本実施例では、当該棚上の陳列領域に陳列される商品に関するデータを受信する。そして、受信した棚上の陳列領域に陳列される商品に関するデータを受信装置５５の液晶表示部５７に表示（出力）する。
【００５１】
これにより、陳列室１１内を照明する指向性の高いＬＥＤ素子４３から照射される可視光を用いて、それぞれの棚ＬＥＤ照明装置４８により照明される位置の商品に関するデータを、当該棚ＬＥＤ照明装置４８を用いて送信することで、棚３０毎に異なる商品のデータを送信することが可能となる。
【００５２】
そのため、格別な通信線の配線接続を行うことなく、ショーケース１の各棚３０の前端部に設けられる受信装置５５によって陳列商品に関するデータや、商品販売に関するデータなどを受信することが可能となるため、利便性の向上を図ることができる。
【００５３】
また、本実施例では、当該受信装置５５を各棚３０の前端部に取り付けているが、これに限定されるものではなく、キャノピー３３の内側であって、外層吐出口１７を構成する前面などのＰＯＰ掲載部等や、顧客が店舗内を移動させて使用するカートなどに設けてもよい。また、陳列商品に関するデータや商品販売（例えば特売）に関するデータなどをキャノピー３３の内側に設けられるＬＥＤ照明装置４０の各ＬＥＤ素子４３から照射光に含ませてもよい。
【００５４】
これにより、カートに設けられる受信装置５５が顧客の移動に伴ってショーケース１に近づくことにより、当該受信装置５５が可視光通信手段として使用されるＬＥＤ照明装置照明装置４０や棚ＬＥＤ照明装置４８のそれぞれのＬＥＤ素子４３の照射範囲内に入ると、それぞれの陳列商品に関するデータや商品販売に関するデータなどを受信して、液晶表示部５７に表示することが可能となる。
【００５５】
このように、通信線を設けることなく、ショーケース１に設けられる各ＬＥＤ照明装置４０、４８からの照射光によって、データを送信することが可能となるため、移動自在な受信装置５５によって、当該データを受信することができる。従って、配線を行うことによる煩雑な作業や、美観の低下等の不都合を解消することができる。
【００５６】
また、本実施例では、受信装置５５は、出力手段として液晶表示部５７を設けているが、これに限定されるものではなく、また、これに加えて、音声出力部などを設けることにより、文字や映像のみならず、音によるデータの出力が可能となる。
【図面の簡単な説明】
【００５７】
【図１】本発明を適用したオープンショーケースの斜視図である。
【図２】図１のオープンショーケースの縦断側面図である。
【図３】各ＬＥＤ照明装置の取付状態を示す図である。
【図４】制御装置の電気ブロック図である。
【図５】ＬＥＤ照明装置による光通信制御を示す図である。
【図６】他の実施例としてのＬＥＤ照明装置による光通信制御を示す図である。
【図７】棚ＬＥＤ照明装置による光通信制御を示す図である。
【符号の説明】
【００５８】
１    オープンショーケース
２    断熱壁
２Ａ  底壁
４    仕切板
５    側板
９    底板
１１  陳列室
２４  制御装置
２７  照明スイッチ
２８  各種入力手段
２９  外部入力手段
３０  棚
３１  ブラケット
３２  棚板
３３  キャノピー
３９  冷却器
４０  ＬＥＤ照明装置
４２  基板
４３  ＬＥＤ素子
４４  取付板
４５  反射板
４８  棚下ＬＥＤ照明装置
５０、５８  ＬＥＤコントロール部
５１  タイマ
５２  メモリ
５５  受信装置
５６  受信部（受信手段）
５７  液晶表示部（出力手段）
【図１】
2010075243.tif 000003
【図２】
2010075243.tif 000004
【図３】
2010075243.tif 000005
【図４】
2010075243.tif 000006
【図５】
2010075243.tif 000007
【図６】
2010075243.tif 000008
【図７】
2010075243.tif 000009